(57)【特許請求の範囲】
【請求項１】
相互に隣接する固定体と移動体のいずれか一方の部材に固定される本体と；この本体に対向して他方の部材に固定される受座と；ロック位置と非ロック位置との間を直線往復動するように前記本体に摺動可能に支持され、ロック位置において前記受座に嵌合して固定体と移動体の相対移動を阻止し、非ロック位置において受座から離脱して固定体と移動体の相対移動を許容するラッチ体と；このラッチ体と前記本体との間に介設され、ラッチ体を本体に圧接させて相互間に摺動抵抗を付与するばねとを具備し；前記本体は、前記ラッチ体を摺動自在に包囲する包囲部を有し；この包囲部は、前記ラッチ体が摺動可能に圧接される摺動側壁を有し；この摺動側壁は、前記ラッチ体のロック方向と非ロック方向に対向する第1および第2の端縁と、これらの端縁に対向する第1および第2の内縁を有する開口とを具備し；前記ラッチ体は、前記本体の摺動側壁に対向して当該摺動側壁に接触・離間自在に配置され常時は前記ばねにより当該摺動側壁に摺動可能に圧接される摺動面と、この摺動面上に突出する係合突起と、当該摺動面から起立して前記摺動側壁の開口から当該ラッチ体を移動操作可能に突出する摘みとを有し；この摘みは、前記開口の第1の内縁に当接した状態で前記ラッチ体をロック位置に配置するよう位置設定され；前記係合突起は、前記ラッチ体がロック位置にあるときに前記摺動側壁の第1の端縁に係合し前記摘みと協働してラッチ体をロック位置に保持するが、前記ラッチ体の摺動面がばね力に抗して摺動側壁から離間した状態において摺動側壁の第1の端縁との係合を解いてラッチ体の非ロック方向への移動を許容するように高さと位置が設定されることを特徴とするスライドラッチ装置。
【請求項２】
前記摘みは、前記開口の第２の内縁に当接した状態でラッチ体を非ロック位置に配置するよう位置設定され；前記係合突起は、前記ラッチ体が非ロック位置にあるときに前記開口の第１の内縁に係合し前記摘みと協働してラッチ体を非ロック位置に保持するように位置設定されることを特徴とする請求項１に記載のスライドラッチ装置。
【請求項３】
相互に隣接する固定体と移動体のいずれか一方の部材に固定される本体と；この本体に対向して他方の部材に固定される受座と；ロック位置と非ロック位置との間を直線往復動するように前記本体に摺動可能に支持され、ロック位置において前記受座に嵌合して固定体と移動体の相対移動を阻止し、非ロック位置において受座から離脱して固定体と移動体の相対移動を許容するラッチ体と；このラッチ体と前記本体との間に介設され、ラッチ体を本体に圧接させて相互間に摺動抵抗を付与するばねとを具備し；前記本体は、前記ラッチ体を摺動自在に包囲する包囲部を有し；この包囲部は、前記ラッチ体が摺動可能に圧接される摺動側壁を有し；この摺動側壁は、前記ラッチ体のロック方向と非ロック方向に対向する第1および第2の端縁と、これらの端縁に対向する第1および第2の内縁を有する開口とを具備し；前記ラッチ体は、前記本体の摺動側壁に対向して当該摺動側壁に接触・離間自在に配置され常時は前記ばねにより当該摺動側壁に摺動可能に圧接される摺動面と、この摺動面上に突出する係合突起と、当該摺動面から起立して前記摺動側壁の開口から当該ラッチ体を移動操作可能に突出する摘みとを有し；この摘みは、前記開口の第２の内縁に当接して前記ラッチ体をロック位置に配置するよう位置設定され；前記係合突起は、前記ラッチ体がロック位置にあるときに前記開口の第１の内縁に係合し前記摘みと協働してラッチ体をロック位置に保持するが、前記ラッチ体の摺動面がばね力に抗して摺動側壁から離間した状態において開口の第１の内縁との係合を解いてラッチ体の非ロック方向への移動を許容するように高さと位置が設定されることを特徴とするスライドラッチ装置。
【請求項４】
前記摘みは、前記開口の第1の内縁に当接した状態で前記ラッチ体を非ロック位置に配置するよう位置設定され；前記係合突起は、前記ラッチ体が非ロック位置にあるときに前記摺動側壁の第1の端縁に係合し前記摘みと協働してラッチ体を非ロック位置に保持するように位置設定されることを特徴とする請求項３に記載のスライドラッチ装置。
【発明の詳細な説明】
【技術分野】
【０００１】
この発明は、引き戸や開き戸の錠装置のような相互に隣接する固定体と移動体との間を鎖錠するために用いられるスライドラッチ装置に関し、特に、振動などにより不用意に施錠、開錠されない保持機能を備えたスライドラッチ装置に関する。
【背景技術】
【０００２】
従来、スライドラッチ装置として非特許文献１に記載されたものが知られている。これを図７，８に示す。スライドラッチ装置２１は、相互に隣接する筐体のような固定体Aとそれに蝶着された扉のような移動体Bのいずれか一方の部材に固定される本体２２と、この本体２２に対向して他方の部材に固定される受座２３と、ロック位置と非ロック位置との間を直線往復動するように本体２に摺動可能に支持されたラッチ体２４とを有する。なお、図７においては、理解の便のために、固定体Aと移動体Bラッチ体とを離して示してある。ラッチ体２４は、本体２の開口２５から突出する操作用の摘み２６を有する。ラッチ体２４は、図示のロック位置において受座２３に嵌合（図８）して固定体Aと移動体Bの相対移動を阻止し、仮想線で示す非ロック位置において受座２３から離脱して固定体Aと移動体Bの相対移動を許容する。摘み２６は、ロック位置において開口２５の一方の内縁２５ａに当接し、非ロック位置において他方の内縁２５ｂに当接する。ラッチ体２４と本体２２との間にはばね２７が介設され（図８）、ラッチ体２４を本体２２に圧接させて相互間に摺動抵抗を付与する。この摺動抵抗により、ラッチ体２４が所定のロック位置又は非ロック位置から不用意に移動するのを防止している。
【非特許文献１】タキゲン製造株式会社  平成17年11月発行  カタログ「タキゲンNO.１９−２」974頁
【発明の開示】
【発明が解決しようとする課題】
【０００３】
上記従来のスライドラッチ装置２１は、ばね２７による摺動抵抗のみでは振動等により、ラッチ体２４が不用意に移動し、予期しない解錠状態あるいは施錠状態が生じるおそれがある。
したがって、この出願に係る発明は、振動や衝撃によりラッチ体４が不用意に移動するのをより効果的に防止することができ、しかも構成が簡易で、操作も容易なスライドラッチ装置を提供することを課題としている。
【課題を解決するための手段】
【０００４】
上記課題を解決するため、この出願に係る発明においては、ラッチ体４の摺動面８上に係合突起１０を突出させてスライドラッチ装置１を構成する。係合突起１０は、ラッチ体４がロック位置にあるときに本体２の摺動側壁６の端縁６ａに係合し、摘み１１と協働してラッチ体４をロック位置に保持するが、ラッチ体４の摺動面８がばね力に抗して摺動側壁６から離間した状態において摺動側壁６の端縁６ａとの係合を解いて、ラッチ体４が非ロック方向への移動するのを許容するように、その高さと位置が設定される。
【発明の効果】
【０００５】
この出願に係る発明のスライドラッチ装置１によれば、ラッチ体４がロック位置にあるときに、係合突起１０が本体２の摺動側壁６の端縁６ａに係合し、開口７の内縁７ａに当接する摘み１１と協働してラッチ体４をロック位置に保持するから、振動や衝撃によりラッチ体４が不用意に非ロック方向への移動するのを有効に防止できる。ラッチ体４の移動操作には、係合突起１０の突出高さ分だけわずかに摘み１１を本体２側へ押し込む操作が加わるだけで、従来のスライドラッチ装置の操作とほとんど変わらず、構造の変更もわずかで製造コストを引き上げることもないという効果を有する。
【発明を実施するための最良の形態】
【０００６】
図面を参照してこの発明の実施の形態を説明する。図１はスライドラッチ装置の斜視図、図２（ａ）は施錠状態のスライドラッチ装置の平面図、(ｂ)は同断面図、図３（ａ）は解錠状態のスライドラッチ装置の平面図、(ｂ)は同断面図、図４（ａ）は施錠状態の他の実施形態のスライドラッチ装置の平面図、(ｂ)は同断面図、図５（ａ）は施錠状態の図４のスライドラッチ装置の平面図、(ｂ)は同断面図、図６は操作途上のスライドラッチ装置の断面図である。
【０００７】
図１において、スライドラッチ装置１は、相互に隣接する筐体のような固定体Aとそれに蝶着された扉のような移動体Bのいずれか一方の部材に固定される本体２と、この本体２に対向して他方の部材に固定される受座３と、ロック位置と非ロック位置との間を直線往復動するように本体２に摺動可能に支持されたラッチ体４とを有する。
【０００８】
本体２は、ラッチ体４を摺動自在に包囲する包囲部５を有する。この包囲部５は、図２(ｂ)に示すように、ラッチ体４が摺動可能に圧接される摺動側壁６を有する。この摺動側壁６は、ラッチ体４のロック方向と非ロック方向に対向する第1および第2の端縁６ａ，６ｂと、矩形の開口７とを具備する。開口７は、端縁６ａ，６ｂにそれぞれ対向する第1および第2の内縁７ａ，７ｂを有する。
【０００９】
ラッチ体４は、摺動面８を摺動側壁６に接触させつつ本体２の包囲部５内を摺動自在である。ラッチ体４は、摺動面８を本体の摺動側壁６に対して接触・離間させることができるように包囲部５内に配置され、常時はばね９により摺動面８を本体の摺動側壁６に圧接させるように付勢される。
【００１０】
ラッチ体４の摺動面８上には、係合突起１０が突設される。また、ラッチ体４は、本体２の開口７から突出する操作用の摘み１１有し、この摘み１１が開口７内で移動する範囲で移動可能である。摘み１１は、図１，図２に示すロック位置において開口７の一方の内縁７ａに当接し、図３に示す非ロック位置において他方の内縁７ｂに当接する。
【００１１】
係合突起１０は、ラッチ体４が図１，図２に示すロック位置にあるとき、本体の摺動側壁の端縁６ａに係合し、開口７の内縁７ａに当接する摘み１１と協働してラッチ体４をロック位置に保持し、また図３に示す非ロック位置にあるとき、開口７の内縁７ａに係合し、開口７の他方の内縁７ｂに当接する摘み１１と協働してラッチ体４を非ロック位置に保持する。ラッチ体４が押し下げられ、摺動面８がばね力に抗して摺動側壁６から離間した図６に示す状態において、摺動側壁６の端縁６ａとの係合又は開口７の内縁７ａとの係合を解いて、摺動側壁６の下面を摺動し、ラッチ体４が非ロック方向又はロック方向への移動するのを許容する。
【００１２】
図４，図５に示す他の実施形態においては、受座３が本体２の他方の端縁６ｂ側に設けられる。したがって、この実施形態においては、ロック位置と非ロック位置が先の実施形態とは逆になる。
【００１３】
すなわち、ラッチ体４が受座３に嵌合した図４に示すロック位置にあるとき、係合突起１０は、開口７の内縁７ａに係合し、開口７の他方の内縁７ｂに当接する摘み１１と協働してラッチ体４をロック位置に保持し、また図５に示す非ロック位置にあるとき、本体の摺動側壁の端縁６ａに係合し、開口７の内縁７ａに当接する摘み１１と協働してラッチ体４を非ロック位置に保持する。
【図面の簡単な説明】
【００１４】
【図１】本発明に係るスライドラッチ装置の斜視図である。
【図２】（ａ）は施錠状態のスライドラッチ装置の平面図、(ｂ)は同断面図である。
【図３】（ａ）は解錠状態のスライドラッチ装置の平面図、(ｂ)は同断面図である。
【図４】（ａ）は他の実施形態のスライドラッチ装置の施錠状態の平面図、(ｂ)は同断面図である。
【図５】（ａ）は図４のスライドラッチ装置の施錠状態の平面図、(ｂ)は同断面図である。
【図６】操作途上のスライドラッチ装置の断面図である。
【図７】従来のスライドラッチ装置の斜視図である。
【図８】従来のスライドラッチ装置の断面図である。
【符号の説明】
【００１５】
１      スライドラッチ装置
２      本体
３      受座
４      ラッチ体
５      包囲部
６      摺動側壁
６ａ    端縁
６ｂ    端縁
７      開口
７ａ    内縁
７ｂ    内縁
８      摺動面
９      ばね
１０    係合突起
１１    摘み
【図１】
0004477042.tif 000002
【図２】
0004477042.tif 000003
【図３】
0004477042.tif 000004
【図４】
0004477042.tif 000005
【図５】
0004477042.tif 000006
【図６】
0004477042.tif 000007
【図７】
0004477042.tif 000008
【図８】
0004477042.tif 000009